(57)【要約】【課題】位置合わせ作業を簡便に行う。【解決手段】固定台３１の載置スペース３３に画像シートを置く。画像シートの上にレンチキュラシートを載置して移動板４６を載せる。移動板４６は、平行・回転テーブル４８，４９により固定台３１に対してシリンドリカルレンズの幅方向に移動し、また固定台３１に垂直な軸を中心に回転する。移動板４６を動かしてレンチキュラシートを画像シートに対して移動して位置合わせを行う。位置合わせ後にクランプ手段３５でレンチキュラシートと画像シートをクランプする。その後、補助台３４を下に倒してレンチキュラシートの第１剥離シートを剥離し、レンチキュラシートの一部を画像シートの余白に仮に貼り付ける。仮貼付けをした後にクランプ手段３５のクランプを解除し、移動板３４を跳ね上げることでレンチキュラシートを仮貼付けした画像シートが取り出せる。【選択図】図５
2011100072.tif 000002
【特許請求の範囲】
【請求項１】
視差を有する複数の視差画像をそれぞれ複数の短冊状のパターン画像に分解し、各視差画像のパターン画像を寄せ集めた画像単位を複数並べて記録した矩形な合成画像と、その周りのうちの一辺に設けられ仮貼付を行うための余白とを有する画像シートと、
表面に多数のシリンドリカルレンズが並べて設けられ、裏面には、前記余白に対応する範囲と前記合成画像を含む範囲との境界に沿って形成されたスリットにより第１及び第２剥離シートに分離されている透明な剥離シートが透明な接着層を介して貼り付けられているレンチキュラシートと、
を前記シリンドリカルレンズの長手方向が前記画像単位の長手方向に一致するように互いを位置合わせした後に、前記レンチキュラシートから剥離シートを剥離して互いを貼り付ける貼付装置であって、
合成画像を記録した面を上にして画像シートを載置する載置スペースを有し、画像シートとの間の摩擦係数が、画像シートとレンチキュラシートとの間の摩擦係数よりも大きくした固定台と、
前記余白以外の合成画像を含む範囲が前記載置スペースに載るように前記画像シートを位置決めする位置決め手段と、
前記画像シートの上に載置されるレンチキュラシートの上にセットされ、前記レンチキュラシートとの間の摩擦係数が、画像シートとレンチキュラシートとの間の摩擦係数よりも大きくした移動板と、
前記移動板に連結されており、前記移動板と一緒に前記レンチキュラシートをシリンドリカルレンズの幅方向に移動させるとともに、前記固定台に垂直な軸を中心に回転させる移動手段と、
前記移動板を動かして位置合わせを行った後に、先端が前記載置スペース内に入り込んで先端の押圧により前記画像シートを前記レンチキュラシートと前記固定台との間でクランプするクランプ手段と、
前記余白を下方から支持する支持位置と、その支持を解除する退避位置との間で移動自在になるように前記固定台に設けられており、前記クランプを行った後に退避位置に移動して、前記レンチキュラシートの裏面から前記第１剥離シートを剥離することを許容する補助台と、
を備えたことを特徴とする貼付装置。
【請求項２】
前記移動手段は、ステージ本体に対して移動ステージをシリンドリカルレンズの幅方向に平行移動させる平行ステージ機構と、ステージ本体に対して移動ステージを前記固定台に垂直な軸を中心に回転させる回転ステージ機構とを有し、いずれか一方のステージ機構のステージ本体を前記固定台に、移動ステージを他方のステージ機構のステージ本体にそれぞれ固定して前記回転ステージ機構と平行ステージ機構とを積層して配置した多軸移動機構と、
前記多軸移動手段を構成するステージ機構のうちの上方に配したステージ機構の移動テーブルと前記移動板とを連結するとともに、前記移動板をセット位置と退避位置との間で移動自在に支持する中間ユニットと、で構成されていることを特徴とする請求項１記載の貼付装置。
【請求項３】
前記画像シートの余白に仮貼付けされた前記レンチキュラシートを、前記第２の剥離シートを剥離しながら一対のローラ間に挿入して一対のローラの回転により互いを圧着していくことで、前記余白以外の合成画像を含む範囲に前記レンチキュラシートを貼り付ける圧着機構を備えたことを特徴とする請求項１又は２記載の貼付装置。
【請求項４】
前記第１及び第２剥離シートには、外周に突出するつまみ用のタブがそれぞれ形成されていることを特徴とする請求項１ないし３いずれか記載の貼付装置。
【請求項５】
視差を有する複数の視差画像をそれぞれ複数の短冊状のパターン画像に分解し、各視差画像のパターン画像を寄せ集めた画像単位を複数並べて記録した矩形な合成画像と、その周りのうちの一辺に設けられ仮貼付を行うための余白とを有する画像シートと、
表面に多数のシリンドリカルレンズが並べて設けられ、裏面には、前記余白に対応する範囲と前記合成画像を含む範囲との境界に沿って形成されたスリットにより第１及び第２剥離シートに分離されている透明な剥離シートが、透明な接着層を介して貼り付けられているレンチキュラシートと、
を前記シリンドリカルレンズの長手方向が前記画像単位の長手方向に一致するように互いを位置合わせした後に、前記レンチキュラシートから剥離シートを剥離して互いを貼り付ける貼付方法であって、
前記合成画像を記録した面を上にして前記画像シートを、固定台に設けられ前記画像シートとの間の摩擦係数が前記画像シートと前記レンチキュラシートとの間の摩擦係数よりも大きくした載置スペースに載置する画像シート載置工程と、
前記画像シートの上に前記レンチキュラシートを載置するレンチキュラシート載置工程と、
前記余白以外の合成画像を含む範囲が前記載置スペースに載るように前記画像シートを位置決めする位置決め工程と、
前記レンチキュラシートとの間の摩擦係数が前記画像シートと前記レンチキュラシートとの間の摩擦係数よりも大きくした移動板を、前記画像シートの上に載置される前記レンチキュラシートの上にセットする移動板セット工程と、
前記移動板を前記固定台に対して前記レンチキュラシートをシリンドリカルレンズの幅方向、及び前記固定台に対して垂直な軸を中心する回転方向にそれぞれ移動させる移動手段の移動により前記移動板と一緒に前記レンチキュラシートを前記画像シートに対して移動して互いの位置合わせを行う位置合わせ工程と、
前記位置合わせ工程の後で、クランプ手段の先端を前記載置スペース内に入り込ませて先端の押圧により前記画像シートを前記レンチキュラシートと前記固定台との間でクランプするクランプ工程と、
前記クランプ工程の後で、補助台を、前記余白を下方から支持する支持位置から前記支持を解除する退避位置に移動し、その後に前記第１剥離シートを剥離して前記レンチキュラシートのうちの余白に対応する範囲を前記画像シートの余白に貼り付ける仮貼付工程と、
を備えることを特徴とする貼付方法。
【請求項６】
前記画像シートの余白に仮貼付けされた前記レンチキュラシートを、前記第２の剥離シートを剥離しながら一対のローラ間に挿入して互いを圧着することで、前記余白以外の合成画像を含む範囲に前記レンチキュラシートを貼り付ける本貼付工程を備えていることを特徴とする請求項５記載の貼付方法。
【発明の詳細な説明】
【技術分野】
【０００１】
本発明は、レンチキュラシートと立体表示用シートを貼り合わせてレンチキュラプリントを作製する方法及び装置に関するものである。
【背景技術】
【０００２】
特殊な眼鏡を用いることなく、視差を有する複数個の画像を右目、左目で分離して別々に視認し、両目パララックスによる立体視を可能とするレンチキュラプリントが知られている。このレンチキュラプリントは、レンチキュラシートと立体表示用シート、例えばプリント写真とを貼り合わせて作られている。レンチキュラシートには、微細なシリンドリカル状のレンチキュラレンズが多数並べて設けられている。プリント写真には、周知のように、視差を有する複数の画像を線状の画像単位で同一平面に一定のピッチで記録した合成画像がプリントされている。この合成画像を、レンチキュラレンズを通して観察することにより、立体感、又は画像が変化するチェンジング、あるいは動きを表現するムービ等の効果を与えることができる。
【０００３】
ところで、このようなレンチキュラプリントでは、合成画像の画像単位とシリンドリカルレンズとの位置合わせ精度良く行わないと、立体感等の効果が得られなくなる。具体的には、シリンドリカルレンズの長手方向と、画像単位の長手方向とが一致し、かつシリンドリカルレンズの幅内に、１つの画像単位のみが位置するように、位置合わせを行う必要がある。
【０００４】
そこで、横長矩形の合成画像記録エリアの長手方向の両側余白に形成した一対の直線（黒ライン）を、レンチキュラー板を通して観察して直線全体が視覚できるかで位置合わせが正しいと判断する方法（特許文献１）、圧縮画像（合成画像）を記録したシートの一余白に形成した基準線とレンチキュラシートに形成した溝とを一定させることで位置合わせを行う方法（特許文献２）、縦長矩形の印刷物に、主画像領域（合成画像記録領域）とその周りの余白に所定幅の直線を所定間隔で平行に配列したパターンのゲージ領域とを印刷し、レンチキュラーを透してゲージ領域のパターンの見え方で位置合わせを行う方法（特許文献３）等が知れている。
【０００５】
しかし、このような方法を用いて手作業で精度良く行うことは難しい。そこで、治具を用いて行うものが知られている（特許文献４，特許文献５）。特許文献４，５に記載の位置決めパレットは、画像シート（プリント写真）を保持する画像シート保持手段（外枠）と、レンチキュラ板を保持するレンチキュラ板保持手段（枠）と、これらを相対的に移動して位置合わせを行う位置調整手段とを持っている。
【先行技術文献】
【特許文献】
【０００６】
【特許文献１】特開平１１−１５０８６号公報
【特許文献２】特開平１０−１２３６３３号公報
【特許文献３】特開平１１−３５２４４１号公報
【特許文献４】特開２００１−７５２００号公報
【特許文献５】特開２００１−７５１９８号公報
【発明の開示】
【発明が解決しようとする課題】
【０００７】
しかしながら、特許文献４，５に記載の発明では、画像シートに対してレンチキュラ板を、シリンドリカルレンズの幅方向に平行に移動する位相合わせ作業と、回転させるシリンドリカルレンズと画像単位との長手方向が平行になるように横振り（回転）させる作業とを行うことで位置合わせ作業を行う。このため、パレットには、レンチキュラ板保持手段を、横振りさせるための横振りフレーム、及び平行移動させるためのスライドフレームをもっている。このため、パレットの構成が複雑で、構成部品が多数あり、治具自体のコストが高くつく。また、最初にパレットの裏側にレンチキュラ板と画像シートとをセットし、パレットをひっくり返して位置合わせを行う。このため、治具をひっくり返す分、作業に手間がかかる。
【０００８】
本発明は、斯かる実情に鑑みなされたもので、簡素な機構で、かつ位置合わせ作業を簡単に行うことができるレンチキュラプリントの作製装置、及び方法をローコストで提供しようとするものである。
【課題を解決するための手段】
【０００９】
本発明の貼付装置は、合成画像を記録した面を上にして画像シートを載置する載置スペースを有し、画像シートとの間の摩擦係数が、画像シートとレンチキュラシートとの間の摩擦係数よりも大きくなっている固定台と；前記余白以外の合成画像を含む範囲が載置スペースに載るように画像シートを位置決めする位置決め手段と；前記画像シートの上に載置されるレンチキュラシートの上にセットされ、前記レンチキュラシートとの間の摩擦係数が、画像シートとレンチキュラシートとの間の摩擦係数よりも大きくなっている移動板と；前記移動板に連結されており、前記移動板と一緒に前記レンチキュラシートをシリンドリカルレンズの幅方向に移動させるとともに、前記固定台に垂直な軸を中心に回転させる移動手段と；前記移動板を動かして位置合わせを行った後に、前記載置スペース内に入り込んで前記レンチキュラシートと画像シートとをクランプするクランプ手段と；前記余白を下方から支持する支持位置と、その支持を解除する退避位置との間で移動自在になるように前記固定台に設けられており、前記クランプを行った後に退避位置に移動して、前記第１剥離シートの剥離を許容する補助台と；を備えたものである。
【００１０】
移動手段としては、ステージ本体に対して移動ステージをシリンドリカルレンズの幅方向に平行移動させる平行ステージ機構と、ステージ本体に対して移動ステージを前記固定台に垂直な軸を中心に回転させる回転ステージ機構とを有し、いずれか一方のステージ機構のステージ本体を前記固定台に、移動ステージを他方のステージ機構のステージ本体にそれぞれ固定して前記回転ステージ機構と平行ステージ機構とを積層して配置した合成移動機構と；前記移動手段を構成するステージ機構のうちの上方に配したステージ機構の移動テーブルと前記移動板とを連結するとともに、前記移動板をセット位置と退避位置との間で移動自在に支持する中間ユニットと、で構成するのが好適である。
【００１１】
合成画像の範囲をレンチキュラシートに貼り付ける本貼付け作業は、圧着装置を用いて行う。圧着装置は、前記画像シートの余白に仮貼付けされた前記レンチキュラシートを、前記第２の剥離シートを剥離しながら一対のローラ間に挿入して互いを圧着することで、前記余白以外の合成画像を含む範囲に前記レンチキュラシートを貼り付ける。
【００１２】
第１及び第２剥離シートの外周に突出して、つまみ用のタブをそれぞれ設けのが、剥がし易いので望ましい。
【発明の効果】
【００１３】
本発明によれば、移動板をレンチキュラシートの上にセットするだけで、画像シートに対してレンチキュラシートを簡単に位置合わせでき、しかも、補助台を退避位置に移動するだけで画像シートの余白をレンチキュラシートに貼り付ける仮貼付けを簡単に行うことができる。また、移動板を退避位置に移動してクランプ手段のクランプを解除すれば、画像シートに仮貼付けをしたレンチキュラシートを簡単に取り出すことができる。
【図面の簡単な説明】
【００１４】
【図１】本発明を用いて造られるレンチキュラプリントを示す分解斜視図である。
【図２】レンチキュラプリントに用いられるレンチキュラシートを示す分解斜視図である。
【図３】レンチキュラプリントに用いられるプリント写真に記録されている合成画像の仕組みを説明する説明図である。
【図４】レンチキュラプリントの作製手順を説明する説明図である。
【図５】位置合わせ装置を示す分解斜視図である。
【図６】プリント写真を位置決めする位置決め手段を示す要部斜視図である。
【図７】クランプ手段を示す要部斜視図である。
【図８】補助台を示す要部斜視図である。
【図９】移動ユニットを示す斜視図である。
【図１０】位置合わせ装置を示す断面図であり、明確にするためにレンチキュラシートとプリント写真の厚みを実際よりも厚く記載している。
【図１１】移動板の下面、及び固定台の上面にシリコンシートを設けた例を示す要部断面図である。
【図１２】移動板を退避位置に跳ね上げた状態を示す説明図である。
【図１３】プリント写真の画像記録エリアの四隅に設けたアライメントマークを示す説明図である。
【図１４】アライメントマークを示す拡大図である。
【図１５】圧着装置を示す要部斜視図である。
【図１６】位置合わせ装置を使用して位置合わせ、及び仮貼付け作業を行う手順を説明するフローチャート図である。
【図１７】圧着装置を使用して本貼付け作業を行う手順を説明するフローチャート図である。
【図１８】第１剥離シートの一対のタブを、第２剥離シートの一対のタブから離した位置に設けた別の例を示す説明図である。
【図１９】第１剥離シートのタブを、第２剥離シートの一対のタブの突出方向に対して直交する方向に突出して設けた別の例を示す説明図である。
【図２０】図１９で説明した第１剥離シートのタブを、レンチキュラシートと同じの横長さとした例を示す説明図である。
【図２１】レンチキュラシートを作製する他の例を示す説明図である。
【発明を実施するための最良の形態】
【００１５】
レンチキュラプリントは、図１に示すように、レンチキュラシート１１とプリント写真１２とを貼り合わせて作られる。プリント写真１２には、全周に余白を持つ画像記録エリア１４に合成画像１５が記録されている。画像記録エリア１４の周りには余白が作られている。このうち縦方向の一方の余白１６が他の余白よりもスペースが大きくとられている。この余白１６は、詳しくは後述する仮貼付けを行うためのスペースである。
【００１６】
レンチキュラシート１１は、図２に示すように、複数のシリンドリカルレンズ１７を一定ピッチで並設した凸凹形状に表面がなっており、裏面は平面となっている。その裏面には、透明な接着剤１８が付与され、接着剤１８には透明な剥離シート１９が貼り付けられている。レンチキュラシート１１は、シリンドリカルレンズ１７の長手方向がプリント写真１２の縦方向に揃うようにプリント写真１２に貼り付けられる。
【００１７】
剥離シート１９には、レンチキュラシート１１の輪郭から出っ張るようにタブ２０が設けられている。タブ２０は、シリンドリカルレンズ１７の短手方向で対峙する位置に一対設けられており、剥離するときにつまみとして使用される。この剥離シート１９には、一対のタブ２０を２分割するように、直線状のスリット２３が形成されている。このスリット２３は、前記余白１６と画像記録エリア１４との境界に一致する位置に設けられている。これにより、剥離シート１９は、プリント写真１２の余白１６を貼り合わせするときに剥がされる第１剥離シート２１と、画像記録エリア１４を含む残りの範囲を貼り合わせするときに剥がされる第２剥離シート２２とに分割されている。
【００１８】
なお、接着剤１８としては、粘着シートを貼り付けたものでもよいし、熱溶融性のホットメルトを塗布したものでもよい。また、レンチキュラシート１１としては、ＰＥＴシートにシリンドリカルレンズ１７の列を有するＵＶ硬化樹脂層を固着して一体化した構成のものでもよい。
【００１９】
レンチキュラシート１１は、矩形サイズとなっており、プリント写真１２は、レンチキュラシート１１と略同じサイズになっている。プリント写真１２に記録される合成画像１５は、立体視の効果を得るための画像であり、図３に示すように、視差の異なる６つの視差画像Ｇ〜Ｌのそれぞれを、縦方向に短冊状に切り取り、切り取った短冊状のパターンＧ１〜Ｇｎ，Ｈ１〜Ｈｎ，Ｉ１〜Ｉｎ，Ｊ１〜Ｊｎ，Ｋ１〜Ｋｎ，Ｌ１〜Ｌｎを、各視差画像Ｇ〜Ｌから一つずつ抽出した６つのパターンＧｎ，Ｈｎ，Ｉｎ，Ｊｎ，Ｋｎ，Ｌｎが一つのシリンドリカルレンズ１７の幅Ｗ内に収まるピッチで配列した画像である。６つの視差画像Ｇ〜Ｌは、例えば２つの撮影部を有する多眼カメラ等において撮影して得られた視差の異なる２つの視差画像に基づいて画像処理により生成した画像である。６つの視差画像Ｇ〜Ｌに基づいてストライピング処理を行って線画像であるパターンＧｎ，Ｈｎ，Ｉｎ，Ｊｎ，Ｋｎ，Ｌｎを作り、６つのパターンＧｎ，Ｈｎ，Ｉｎ，Ｊｎ，Ｋｎ，Ｌｎが、１つのシリンドリカルレンズ１７に対応する１つの画像単位Ｔ１〜Ｔｎとなるように、各視差画像Ｇ〜Ｌから一つずつ抽出して合成画像１５を作る。なお、合成画像１５には、６つのパターンＧｎ，Ｈｎ，Ｉｎ，Ｊｎ，Ｋｎ，Ｌｎが予め決めた順番で配列されている。また、２つの視差画像に基づいて生成した６つの視差画像に対して、回転・平行ズレ、視差量調整、ズーム差修正、色補正やトリミング等の画像補正を行った後に、ストライピング処理を行うようにしてもよい。
【００２０】
レンチキュラプリント１０は、図４（Ａ）に示すように、プリント写真１２に対してレンチキュラシート１１を平行に移動し、また、回転移動し、さらにこれらを組み合わせて移動することで位置合わせを行う位置合わせ作業、同図（Ｂ）に示すように、第１剥離シート２１を剥離してレンチキュラシート１１の一部をプリント写真１２の余白１６に貼り付ける仮貼り付け作業、及び、同図（Ｃ）に示すように、第２剥離シート２２を剥離してレンチキュラシート１１の合成画像１５を含む残りの全部をプリント写真１２に貼り付ける本貼付け作業を順に行って作製される。
【００２１】
位置合わせ作業は、画像単位Ｔ１〜Ｔｎを、各シリンドリカルレンズ１７の範囲に合うように正確に位置合わせをしないと、立体視やチェンジング等の効果が得られないため、重要な作業である。例えばシリンドリカルレンズ１７のピッチを０．２５ｍｍとすると、一つのパターンのピッチは０．０４２ｍｍという微細なピッチになる。位置合わせ作業は、シリンドリカルレンズ１７の長手方向と、画像単位Ｔ１〜Ｔｎの長手方向（合成画像の向きでいうと天地方向）とが一致し、かつ１つのシリンドリカルレンズ１７の範囲に６つのパターンＧｎ，Ｈｎ，Ｉｎ，Ｊｎ，Ｋｎ，Ｌｎが位置するように行う。したがって、位置合わせ作業には、高精度が要求されるため、位置合わせ装置を使って位置合わせを行う。この装置では、位置合わせ後にずれないように仮貼り付けまで行うことができる。また、本貼付け作業では、プリント写真１２とレンチキュラシート１１との間に空気等が入らないように、圧着装置を用いて貼り付ける。
【００２２】
貼付装置３０は、図５に示すように、プリント写真１２を載置する横長矩形な固定台３１と、プリント写真１２の上に載置されるレンチキュラシート１１を移動させるための移動ユニット３２とで構成されている。
【００２３】
固定台３１には、プリント写真１２を載置する載置スペース３３を有する。載置スペース３３は、プリント写真１２の余白１６に対応する範囲が固定台３１の輪郭の一辺から飛び出す。飛び出す範囲には、補助台３４が取り付けられている。補助台３４を取り付けた側を正面とすると、合成画像１５の記録面を上にし、かつ余白１６を正面に向けた向きでプリント写真１２が載置スペース３３に載置される。固定台３１には、前述した補助台３４に加えて、プリント写真１２を載置スペース３３に位置決めする位置決め手段３６と、位置合わせ後にレンチキュラシート１１とプリント写真１２とを固定するクランプ手段３５とが設けられている。
【００２４】
位置決め手段３６は、図６に示すように、固定台３１から立設されている複数の位置決めピン３７になっている。複数の位置決めピン３７は、プリント写真１２の横方向を位置規制するピン３７ａ、３７ｂと、縦方向のうちの奧側を位置規制するピン３７ｃ，３７ｄとで構成される。複数の位置決めピン３７は、プリント写真１２の厚みに応じた長さだけ突出している。
【００２５】
クランプ手段３５は、図７に示すように、トグルクランプ３９を設けた移動台４０と、移動台４０の移動をガイドする移動レール４１とからなり、固定台３１の上面のうちのプリント写真１２の横方向で対向する位置にそれぞれ設けられている。移動台４０は、トグルクランプ３９の先端が載置スペース３３の上に入り込む挿入位置と、載置スペース３３外に退避する退避位置との間で移動する。移動台４０を挿入位置にセットしてからトグルクランプ３９のハンドルをクランプ解除位置からクランプ位置に手動で開閉することで、先端が上方から下降して、先端に設けたゴムでレンチキュラシート１１をプリント写真１２に向けて押さ付ける。押さえ付ける位置としては、プリント写真１２の余白１６に対応する範囲外になっており、このうち余白寄りを押さえるのが好適である。
【００２６】
補助台３４は、図８に示すように、固定台３１の正面側の側面に蝶番４３を介して取り付けられており、プリント写真１２の余白１６の範囲を下方から支持する支持位置と、下方に向けてＬ字状に折れ曲がる退避位置との間で移動自在になっている。支持位置では、固定台３１と補助台３４との側面にそれぞれ設けた磁石４４の磁着によりその姿勢が維持される。退避位置に移動することで、プリント写真１２の余白１６の範囲が宙に浮くため、第１剥離シート２１をレンチキュラシート１１の裏面から剥離することができる。なお、磁石４４の磁着以外に、クリック機構やロック機構等のメカ機構を設けて補助台３４を支持位置に維持するようにしてもよい。
【００２７】
移動ユニット３２は、図９及び図１０に示すように、移動板４６、中間ユニット４７、回転ステージ機構４８、平行ステージ機構４９等で構成されている。平行ステージ機構４９は、下側に配されるステージ本体５０に対して上側に配される移動ステージ５１が横方向に向けて直進的に移動する直進型ステージであり、ステージ本体５０が固定台３１の上に固定され、移動ステージ５１の上に回転ステージ機構４８が配される。
【００２８】
回転ステージ機構４８は、下側に配置されるステージ本体５２に対して上側に配置される移動ステージ５３が、固定台３１の上面に対して垂直な軸（回転軸）５４を中心として回転する回転型ステージであり、移動ステージ５３が中間ユニット４７に、ステージ本体５２が平行ステージ機構４９の移動ステージ５１にそれぞれ固定される。
【００２９】
回転ステージ機構４８、及び平行ステージ機構４９には、ステージ本体５０，５２にマイクロメータヘッド５５，５６がそれぞれ取り付けられている。マイクロメータヘッド５５，５６を操作すると、スピンドルが送られて移動ステージ５１，５３を押す。このマイクロメータヘッド５５，５６を操作することで微動調整が行える。なお、粗動調整は、移動ステージ５１，５３を直接押すことで行える。なお、回転ステージ機構４８と平行ステージ機構４９とを逆に配置してもよい。
【００３０】
中間ユニット４７は、上板部材５８、下板部材５９、及び連結部材６０で構成されている。上板部材５８は、回転ステージ機構４８の移動ステージ５３の上に固定され、回転・平行ステージ機構４８，４９の動きに連動して移動する。下板部材５９は、移動板４６を支持している。連結部材６０は、上・下板部材５８，５９を高さ方向で連結し、高さ方向での間隔を規制するとともに、上板部材５８の動きを下板部材５９に伝達する作用をなす。
【００３１】
移動板４６は、レンチキュラシート１１の表面に載る。連結部材６０の長さが移動板４６の高さを決める。レンチキュラシート１１をプリント写真１２に向けて押す力、すなわち両者の間の摩擦係数は、移動板４６の高さ位置に応じて変わる。移動板４６の動きでレンチキュラシート１１をプリント写真１２の上で滑らせるためには、固定台３１の上面とプリント写真１２の裏面との摩擦係数、及び移動板４６の下面とレンチキュラシート１１の表面との摩擦係数を、プリント写真１２の記録面とレンチキュラシート１１の裏面（剥離シートの面）との摩擦係数よりも大きくする必要がある。このような関係になるように、連結部材６０の長さが決められている。
【００３２】
そこで、図１１に示すように、固定台３１とプリント写真１２との間の摩擦係数を高めるためのシリコンシート６１を固定台３１の上面に取り付けるのが好適である。また、移動板４６とレンチキュラシート１１との間の摩擦係数を高めるために移動板４６の下面にもシリコンシート６２を取り付けるのが好適である。なお、摩擦係数を高めるために、載置スペース３３の上面、及び移動板４６の下面の面材質としては、シリコンシートに限らず、周知のものを利用してもよい。また、面形状を変えても良い。さらには、面材質と面形状との組合せにより摩擦係数を高めてもよい。
【００３３】
また、レンチキュラシート１１とプリント写真１２との間の摩擦係数を変える場合には、連結部材６０の高さを、ワッシャー等を挿入することで変えてもよい。代わりに、回転ステージ機構４８の上に、Ｚ軸テーブルを新たに追加して設けて、Ｚ軸テーブルを使って移動板４６の高さ調整を行うようにしてもよい。Ｚ軸テーブルは、マイクロメータヘッドを操作することで移動テーブルがステージ本体に対して垂直方向に移動し、ロックネジを締めることで移動テーブルをその位置にロックすることができる。この場合には、レンチキュラシート１１やプリント写真１２の厚みが変わった時に、ロックネジを緩めれば調整可能であるので迅速に対応することができる。
【００３４】
移動板４６は、図１２に示すように、下板部材５９に対して蝶番６３を介して取り付けられており、上方に跳ね上がる退避位置と、レンチキュラシート１１の上に載るセット位置との間で移動自在になっている。移動板４６は、余白１６に対応する範囲にも載るサイズになっており、位置合わせ作業等を行うときに掴む取手６４が上面に設けられている。
【００３５】
プリント写真には、図１３に示すように、画像記録エリア１４の四角の外に一つずつアライメントマーク６６が記録されている。アライメントマーク６６は、回転角度用と平行移動用とがある。回転角度用のアライメントマーク６６ａ，６６ｂは画像記録エリア１４の一方の対角方向に配した２個、平行移動用のアライメントマーク６６ｃ，６６ｄは他方の対角方向に配した２個である。これら４個のアライメントマーク６６は、画像記録エリア１４の中心線６７に対して左右対称の位置に記録されている。なお、符号５４は、回転ステージ機構４８の回転軸を表している。図中にある、回転軸５４を中心する周方向に沿う矢印方向、及び横方向に沿う矢印方向が移動板４６と一緒にレンチキュラシート１１が動く方向である。
【００３６】
アライメントマーク６６は、図１４に示すように、予め決められた色で記録される枠Ｆと、枠Ｆの内部に一定ピッチで並ぶ複数の線分Ｌとからなる。枠Ｆは、回転角度用と平行移動用とで異なる色で記録されている。線分Ｌは、縦方向（シリンドリカルレンズの長手方向）に伸びる直線になっている。
【００３７】
回転角度用のアライメントマーク６６ａ，６６ｂは、線分Ｌのピッチを「Ｐ１」、合成画像の画像単位Ｔｎのピッチを「Ｐ０」とすれば、「Ｐ０＜Ｐ１＜２×Ｐ０」の関係を満たすように、好ましくは「ピッチＰ１＝略４／３×ピッチＰ０」となるように線分Ｌのピッチが決められている。こうすることで、合成画像１５の画像単位Ｔｎの長手方向に対してシリンドリカルレンズ１７の長手方向の回転角度が合っていない場合には、線分Ｌの線幅に関わらず、レンチキュラシート１１を透して線分Ｌの線が傾いて視認することができ、合っている場合には直線で視認される。
【００３８】
平行移動用のアライメントマーク６６ｃ，６６ｄは、線分Ｌが画像単位Ｔｎ、及びシリンドリカルレンズ１７と同じピッチで記録されている。また、線分Ｌの線幅は、画像単位ＴｎのピッチＰ０の略１／２倍の幅で記録されている。合成画像１５に対してシリンドリカルレンズ１７のピッチがずれている場合には、レンチキュラシート１１を透して線分Ｌの線の濃度が薄く視認でき、合っている場合には濃度が高く視認される。濃度のピークを探すことで、双方のピッチが合っている最適な位置を認識することができる。なお、４個のアライメントマーク６６を、レンチキュラシート１１を透して視認するために、移動板４６の四隅には切欠き部４６ａ〜４６ｄ（図９参照）が形成されている。また、平行移動用のアライメントマーク６６ｃ，６６ｄの線分Ｌとしては、「１／３×ピッチＰ０」、もしくは「２／３×ピッチＰ０」の線幅で記録しても同様に視認することができる。
【００３９】
圧着装置７０は、図１５に示すように、一対の圧着ローラ７１，７２を有している。互いの圧着ローラ７１，７２は、ギヤ列７３，７４の噛合により連結されており、ハンドル７５を回転して一方の圧着ローラ７１を回転することで他方の圧着ローラ７２が、一方の圧着ローラ７１とは逆に回転する。圧着ローラ７１，７２の間に、仮貼合わせをしたプリント写真１２とレンチキュラシート１１を、第２剥離シート２２を剥離しながら通すことで、画像記録エリア１４を含む残りの範囲を気泡が入らないように貼り合わせることができる。
【００４０】
次に、上記構成の作用を、図１６及び図１７を参照しながら説明する。レンチキュラプリント１０の作製は、位置合わせ作業、仮貼付け作業、本貼付け作業の順に行われる。位置合わせ作業と仮貼付け作業は、貼付装置３０を使って行う。
【００４１】
貼付装置３０の初期状態は、移動板４６が退避位置に跳ね上げられ、且つクランプ手段３５が退避位置に移動され、さらに、補助台３４が支持位置にセットされた状態になっている。
【００４２】
このような状態にすると、載置スペース３３が露呈される。ここにプリント写真１２を、記録面を上に、かつ余白１６を正面に向けた姿勢で載置する。これにより、画像単位Ｔｎの長手方向が貼付装置３０の縦方向に一致する向きになる。このとき、位置決め手段３６によりプリント写真１２が位置決めされる。
【００４３】
プリント写真１２の上にレンチキュラシート１１を載置する。レンチキュラシート１１は、プリント写真１２と略同じサイズであるため、プリント写真１２の輪郭に合わせて載置すればよい。このとき、シリンドリカルレンズ１７の表面を上にし、且つシリンドリカルレンズ１７の長手方向を縦方向に合わせた姿勢で載置する。前述したように、レンチキュラシート１１の裏面には、剥離シート１９が貼り付けられている。これにより、第１剥離シート２１がタブ２１ａ，２１ｂを含めて補助台３４の上に、第２剥離シート２２がタブ２２ａ，２２ｂを含めて固定台３１の上に位置する。
【００４４】
取手６４をもって移動板４６を退避位置からセット位置に移動する。これにより、移動板４６がレンチキュラシート１１の上に載る。その後に、アライメントマーク６６を目視しながら、取手６４をもって移動板４６を動かしてレンチキュラシート１１をプリント写真１２の上で滑らせながら移動して位置合わせを行う。移動板４６は、平行ステージ機構４９の作用により横方向、すなわちシリンドリカルレンズ１７のピッチ方向に移動し、また回転ステージ機構４８の作用により回転軸５４を中心として回転する。粗動は、取手６４を持って移動させることで行え、微動は、平行ステージ機構４９、及び回転ステージ機構４８に設けたマイクロメータヘッド５５，５６をそれぞれ操作して行う。
【００４５】
移動板４６の四隅の切欠き部４６ａ〜４６ｄから回転角度用のアライメントマーク６６ａ，６６ｂを目視して、その線分Ｌが直線で視認される時が、画像単位Ｔｎの長手方向に対してシリンドリカルレンズ１７の長手方向の回転角度が合っている状態である。また、平行移動用のアライメントマーク６６ｃ，６６ｄを目視して、線分Ｌの線の濃度が一番高く視認される時が、合成画像１５に対してシリンドリカルレンズ１７のピッチが一致している状態である。このような状態にすることで位置合わせが完了する。
【００４６】
位置合わせを完了した後には、クランプ手段３５を挿入位置に移動し、トグルクランプ３９のハンドルをクランプ位置に操作することで、レンチキュラシート１１と固定台３１との間にプリント写真１２をクランプする。このときのクランプ位置は、余白１６の範囲外になっている。
【００４７】
クランプが完了した後には、補助台３４を退避位置に移動する。これにより、プリント写真１２の余白１６の範囲の支持がなくなるため、プリント写真１２の余白１６の範囲を下方に少し押し下げながら、タブ２１ａ，２１ｂをもって第１剥離シート２１を剥離する。その後、補助台３４を再び支持位置にセットすることでレンチキュラシート１１の第１剥離シート２１を剥がした接着剤１８の範囲がプリント写真１２の余白１６の範囲に貼り付き、仮貼付け作業が完了する。なお、補助台３４を支持位置にセットせずに、仮貼付けを行ってもよい。
【００４８】
その後、プリント写真１２が仮貼付けされたレンチキュラシート１１を取り出すために、トグルクランプ３９のハンドルをクランプ解除位置に操作し、クランプ手段３５を退避に移動するとともに、移動板４６を退避位置に跳ね上げる。
【００４９】
仮貼付け作業の後には、本貼付作業を行う。本貼付作業では、圧着装置７０を使用する。貼付装置３０から取り出したレンチキュラシート１１を圧着装置７０の圧着ローラ７１，７２の間に、仮貼付けをした余白１６側から挿入する。その後、ハンドル７５を回転して互いの圧着ローラ７１，７２の回転によりレンチキュラシート１１とプリント写真１２とを圧着していく。このとき、タブ２２ａ，２２ｂを持って第２剥離シート２２を剥離しながら行う。これにより、画像記録エリア１４の範囲に気泡が入らないように、また、接着剤１８が空気に触れる時間が少ないことに伴うゴミや塵の入り込みを防止しながら、貼り合わせを行うことができる。
【００５０】
尚、本発明の貼付装置３０や貼付け方法は、前述した例にのみ限定されるものではなく、本発明の要旨を逸脱しない範囲内において種々変更を加え得ることは勿論である。また、本貼付けを行った後に、プリント写真１２の余白全てを、レンチキュラシート１１に対応する範囲とともに切断し、画像記録エリアの大きさの形態をレンチキュラプリントとしてもよい。
【００５１】
また、第１剥離シート２１に設けるタブ２１ａ，２１ｂの位置としては、図１８に示すように、第２剥離シート２２のタブ２２ａ，２２ｂから少し離して設けてもよい。なお、スリット２３は、画像記録エリア１４との境界に一致してなくてもよく、画像記録エリア１４から少し離れた位置に設けてもよい。また、レンチキュラシート１１の横方向（ピッチ方向）の両側ではなく、図１９に示すように、レンチキュラシート１１の縦方向（長手方向）の手前側にのみ設けてもよい。手前側に設ける場合には、つまみ易いので１つだけ設ければよい。さらに、図２０に示すように、第１剥離シート２１をレンチキュラシート１１の長手方向に長くしてレンチキュラシート１１の手前から突出する部分をタブ２１ａとして用いるようにしてもよい。この場合には、タブ２１ａがレンチキュラシート１１の横方向に長いため、どこでもつまむことができ、剥離し易くなる。
【００５２】
また、レンチキュラシート１１の作製としては、予め決められたサイズに切り取った後に、その裏面に接着剤１８を塗布し、タブ２０を有するサイズに切り取った剥離シート１９をその接着剤１８に貼り付けた後に、スリット２３を入れて作る方法が考えられる。本発明では、この他に、図２１に示すように、表面から順にレンチキュラレンズ層、粘着剤層、及び剥離シート層を順に積層した一枚の長尺状の連続シート８０を帯状に搬送し、スリット工程で、剥離シート２０にスリット２３を幅方向に形成し、次の打ち抜き工程で、タクト搬送してその停止中に、スリット２３の位置に基づいて打抜き刃８１で打ち抜いてレンチキュラシート１１を連続的に作っても良い。
【００５３】
この場合、打ち抜き刃８１は、タブ２０を含めた外形サイズに打ち抜く第１の刃８１ａと、剥離シート１９の厚み分残してタブ２０を除去する範囲を打ち抜く第２の刃８１ｂとを持っている。第１の刃８１ａは、タブ２０を含む外形サイズで、レンチキュラレンズ層、粘着剤層、及び剥離シート層の全ての厚みを打ち抜く。第２の刃８１ｂは、タブ２０を切り落とす範囲に設けられており、剥離シート１９の厚み分残して打ち抜くように、第１の刃８１ａよりも一段凹んだ刃になっている。これにより、１回の打ち抜きで、レンチキュラレンズ層、粘着剤層はタブ２０を除いた矩形な形状で打ち抜かれ、剥離シート１９のみがタブ２０を突出した形状に打ち抜かれる。
【００５４】
上記実施形態では、合成画像を印画紙に露光記録したプリント写真１２として説明しているが、インクジェットプリンタで合成画像を記録した記録紙や、印刷した印刷物を使用してもよい。また、プリント写真１２としては、画像記録エリア１４の一辺のみに仮貼付用の余白１６があればよいので、その他の辺は余白がでないように合成画像１５を記録した構成にしてもよい。  
【符号の説明】
【００５５】
１０  レンチキュラプリント
１１  レンチキュラシート
１２  プリント写真
１９  剥離シート
２０  タブ
２３  スリット
３０  貼付装置
３１  固定台
３４  補助台
３５  クランプ手段
３６  位置決め手段
４６  移動板
【図１】
2011100072.tif 000003
【図２】
2011100072.tif 000004
【図３】
2011100072.tif 000005
【図４】
2011100072.tif 000006
【図５】
2011100072.tif 000007
【図６】
2011100072.tif 000008
【図７】
2011100072.tif 000009
【図８】
2011100072.tif 000010
【図９】
2011100072.tif 000011
【図１０】
2011100072.tif 000012
【図１１】
2011100072.tif 000013
【図１２】
2011100072.tif 000014
【図１３】
2011100072.tif 000015
【図１４】
2011100072.tif 000016
【図１５】
2011100072.tif 000017
【図１６】
2011100072.tif 000018
【図１７】
2011100072.tif 000019
【図１８】
2011100072.tif 000020
【図１９】
2011100072.tif 000021
【図２０】
2011100072.tif 000022
【図２１】
2011100072.tif 000023